(57)【特許請求の範囲】
【請求項１】
露光を行って画像信号を取得する電子撮像装置において、
露光量に応じた信号電荷を発生させる複数の画素が２次元状に配列された撮像領域を有し、撮像領域内の所望の部分領域のみを読み出し可能な撮像素子と、
前記撮像素子の全撮像領域の露光を同一時点で行わせた後に一続きの複数フィールドの読み出しを行うことで全撮像領域の読み出しが完了するようにして第１の画像信号として読み出す第１の撮像制御と、該第１の撮像制御における順序が連続する２つのフィールド読出期間の間に、前記撮像領域内の部分領域を第２の画像信号として読み出す第２の撮像制御と、を行う撮像制御部と、
所定の特徴量に類似する特徴量を前記第１の画像信号および前記第２の画像信号から抽出する特徴量抽出部と、
異なる時点の露光により得られた前記第１の画像信号と前記第２の画像信号との内の複数から抽出された、複数の前記所定の特徴量に類似する特徴量の位置に基づいて、前記第２の撮像制御により読み出す部分領域の位置を示すパラメータを決定するパラメータ決定部と、
画像を表示する表示部と、
を具備し、
前記撮像制御部は、前記パラメータ決定部により決定されたパラメータに基づいて、前記第２の撮像制御により次に読み出す部分領域の位置を制御し、前記表示部は前記パラメータ決定部により決定されたパラメータに対応した部分領域の画像を拡大表示することを特徴とする電子撮像装置。
【請求項２】
前記パラメータ決定部は、さらに、前記第１の画像信号または前記第２の画像信号の内の、最新の露光を含む複数の時点の露光により得られた、複数の前記所定の特徴量に類似する特徴量の位置に基づいて、前記第２の撮像制御により読み出す部分領域の位置を示すパラメータを決定するものであることを特徴とする請求項１に記載の電子撮像装置。
【請求項３】
前記第２の撮像制御は、前記第１の撮像制御よりも間引く画素の割合を少なくしてまたは間引くことなく前記撮像領域内の部分領域を第２の画像信号として読み出す制御であり、
前記撮像制御部は、前記第１の撮像制御と前記第２の撮像制御とを所定のパターンで交互に行うように制御するものであることを特徴とする請求項２に記載の電子撮像装置。
【請求項４】
上記撮像領域内の所望の部分領域を指定するための操作部をさらに具備し、
上記所定の特徴量は、上記操作部により指定された部分領域から上記特徴量抽出部が抽出した特徴量であることを特徴とする請求項１に記載の電子撮像装置。
【発明の詳細な説明】
【技術分野】
【０００１】
本発明は、露光を行って画像信号を取得する電子撮像装置に関する。
【背景技術】
【０００２】
従来より製品化されているデジタルカメラにおいては、撮像素子に起因する制約が主な原因となって、動画（ライブビューを含む動画）表示は特定の条件で（例えば、静止画像撮像時に）途切れることが一般的であった。
【０００３】
一方、デジタルカメラにおいて、マニュアルフォーカスを行う際に、マニュアルフォーカスモードに設定すると、画像の一部を切り出して読み出し、モニタ画面にリアルタイム（ライブビュー）で拡大表示（例えば１０倍等の拡大表示）するものがある。この拡大表示位置は、ユーザが画面内における拡大位置を指定すると、その指定に従って撮像素子の切出位置を決定し、画像の一部を切り出すものとなっている。
【０００４】
一方、例えば再公表特許ＷＯ２００８／０７２３７４号公報には、撮像部により生成した画像から焦点検出対象領域に対応する部分を切り出して追尾対象確認用画像を生成し、構図確認用のスルー画像と追尾対象確認用画像とを重畳して表示部に表示することにより、追尾対象である被写体の詳細をより迅速かつ簡単に確認することができる電子カメラが記載されている。さらに、該公報の段落［００２３］には、追尾対象確認用画像の作成方法の２種類の例として、スルー画像の一部を切り出してデジタル的に拡大する第１の方法と、撮像素子の解像度に応じてスルー画像とは別に追尾対象確認用画像を作成する第２の方法と、が記載されている。ここに、第２の方法の具体例としては、表示解像度（例えば６４０×４８０ピクセル）よりも撮像素子の動画像取得能力が高い（例えば１２８０×９６０ピクセル）場合に、取得した動画像を縮小してスルー画像を生成するとともに、取得した動画像を縮小することなく一部切り出して追尾対象確認用画像を作成する旨が示されている。
【先行技術文献】
【特許文献】
【０００５】
【特許文献１】再公表特許ＷＯ２００８／０７２３７４号
【発明の概要】
【発明が解決しようとする課題】
【０００６】
しかしながら、上述した従来の製品化されたデジタルカメラや、上記再公表特許ＷＯ２００８／０７２３７４号に記載の電子カメラでは、静止画像撮像時にはライブビューが途切れるために、マニュアルフォーカスによる連写撮影を行うことができなかった。また、上記再公表特許ＷＯ２００８／０７２３７４号に記載の追尾対象確認用画像の作成技術における上記第１の方法の場合には、デジタル的に拡大した画像の解像度が低くなるために、マニュアルフォーカスを行うための表示画像として適しているとは言い難い。また、上記第２の方法の場合には、表示解像度よりも高解像度の全画面画像を動画像として読み出さなければならないために、１フレーム分の動画像の取得には時間を要し、仮に下記に説明するシームレスシーケンスに適用しようとしても、シーケンスに組み込むのは困難である。
【０００７】
これに対して、静止画撮影中であっても、動画撮影あるいはライブビュー表示を基本的に途切れることのないようにする技術（以下ではシームレスシーケンスという）が開発されている。このシームレスシーケンスは、簡単にいうと、静止画の取り込み（撮像素子からの読み出し）を複数のフィールドに分割して行い、この静止画分割取込の合間に動画取込のフレームを挟み込むようにしたもの（つまり、分割された静止画取込と動画取込とを所定のパターンで交互に行うもの（ただし、１つずつ交互に行うに限るものではない））である。従って、１フレーム分の動画像は、１フレーム分の動画像表示時間間隔よりも短い時間で取得する必要があり、いわば、表示レートよりも高いレートで動画像が取得可能である必要がある。
【０００８】
このシームレスシーケンスを行い得るデジタルカメラの場合には、連写撮影時にも基本的にライブビューが途切れることはないために、被写体が動くものでなければマニュアルフォーカスが可能になる。しかし、上述したように、従来のマニュアルフォーカスモードにおける拡大表示は、撮像素子内の特定範囲のみを切り出しているために、被写体が動いてこの特定範囲を逸脱すると、マニュアルフォーカスを行うことができなかった。
【０００９】
本発明は上記事情に鑑みてなされたものであり、動く被写体に対してもマニュアルフォーカスを可能とする電子撮像装置を提供することを目的としている。
【課題を解決するための手段】
【００１０】
上記の目的を達成するために、本発明のある態様による電子撮像装置は、露光を行って画像信号を取得する電子撮像装置において、露光量に応じた信号電荷を発生させる複数の画素が２次元状に配列された撮像領域を有し、撮像領域内の所望の部分領域のみを読み出し可能な撮像素子と、前記撮像素子の全撮像領域の露光を同一時点で行わせた後に一続きの複数フィールドの読み出しを行うことで全撮像領域の読み出しが完了するようにして第１の画像信号として読み出す第１の撮像制御と、該第１の撮像制御における順序が連続する２つのフィールド読出期間の間に、前記撮像領域内の部分領域を第２の画像信号として読み出す第２の撮像制御と、を行う撮像制御部と、所定の特徴量に類似する特徴量を前記第１の画像信号および前記第２の画像信号から抽出する特徴量抽出部と、異なる時点の露光により得られた前記第１の画像信号と前記第２の画像信号との内の複数から抽出された、複数の前記所定の特徴量に類似する特徴量の位置に基づいて、前記第２の撮像制御により読み出す部分領域の位置を示すパラメータを決定するパラメータ決定部と、画像を表示する表示部と、を具備し、前記撮像制御部は、前記パラメータ決定部により決定されたパラメータに基づいて、前記第２の撮像制御により次に読み出す部分領域の位置を制御し、前記表示部は前記パラメータ決定部により決定されたパラメータに対応した部分領域の画像を拡大表示するものである。
【発明の効果】
【００１１】
本発明の電子撮像装置によれば、動く被写体に対してもマニュアルフォーカスを行うことが可能となる。
【図面の簡単な説明】
【００１２】
【図１】本発明の実施形態１における電子撮像装置の構成を示すブロック図。
【図２】上記実施形態１において、撮像素子の撮像領域に設けられている画素の構成例を示す回路図。
【図３】上記実施形態１において、電荷蓄積中（露光中）の画素内のポテンシャルおよび電荷の様子を示す図。
【図４】上記実施形態１において、グローバル転送中の画素内のポテンシャルおよび電荷の様子を示す図。
【図５】上記実施形態１において、グローバル転送が完了した後にトランジスタＴＸ２下に電荷を保持しているときの画素内のポテンシャルおよび電荷の様子を示す図。
【図６】上記実施形態１において、トランジスタＴＸ２下の電荷が転送されるのを待機しているときの画素内のポテンシャルおよび電荷の様子を示す図。
【図７】上記実施形態１において、トランジスタＴＸ２下から信号蓄積部ＦＤへ電荷を転送しているときの画素内のポテンシャルおよび電荷の様子を示す図。
【図８】上記実施形態１において、信号蓄積部ＦＤに電荷を保持しているときの画素内のポテンシャルおよび電荷の様子を示す図。
【図９】上記実施形態１において、撮像素子の撮像領域に設けられる画素の他の第１の構成例を示す回路図。
【図１０】上記実施形態１において、撮像素子の撮像領域に設けられる画素の他の第２の構成例を示す回路図。
【図１１】上記実施形態１において、ライブビュー時の撮像装置の動作を示すタイミングチャート。
【図１２】上記実施形態１において、複数枚の静止画像を連写撮影して読み出している最中にもライブビュー表示を行うときの撮像装置のシームレスシーケンス動作を示すタイミングチャート。
【図１３】上記実施形態１において、マニュアルフォーカスモード時における撮像装置のシームレスシーケンス動作を示す図。
【図１４】上記実施形態１において、全画面を分割した分割エリアから被写体が写っているエリアをユーザが選択する様子を説明するための図。
【図１５】上記実施形態１において、選択されたエリアを含むように画像信号の切り出しが行われ、特徴量を抽出する様子を説明するための図。
【図１６】上記実施形態１における追尾切出処理を示すフローチャート。
【図１７】本発明の実施形態２において、マニュアルフォーカスモード時における撮像装置の動作を示す図。
【図１８】上記実施形態２における追尾切出処理を示すフローチャート。
【発明を実施するための形態】
【００１３】
以下、図面を参照して本発明の実施の形態を説明する。
［実施形態１］
【００１４】
図１から図１６は本発明の実施形態１を示したものであり、図１は電子撮像装置（以下では単に撮像装置という）の構成を示すブロック図である。
【００１５】
この撮像装置は、図１に示すように、レンズ１と、撮像部２と、画像処理部３と、ＡＦ評価値演算部４と、表示部５と、手振検出部７と、手振補正部８と、露光制御部９と、フォーカス制御部１０と、カメラ操作部１１と、カメラ制御部１２と、を備えている。なお、図１にはメモリカード６も記載されているが、このメモリカード６は撮像装置に対して着脱可能に構成されているために、撮像装置に固有の構成でなくても構わない。
【００１６】
レンズ１は、被写体の光学像を撮像部２に含まれる撮像素子２ａの撮像領域に結像するものである。このレンズ１は、焦点位置（ピント位置）を調節してフォーカシングを行うためのフォーカスレンズと、通過する光束の範囲を制御するための絞りと、を備え、さらに、本実施形態においては手振補正機能も備えたものとなっている。
【００１７】
撮像部２は、レンズ１により結像された被写体の光学像を光電変換して画像信号として出力する撮像素子（撮像センサ）２ａや、この撮像素子２ａから出力された画像信号にアナログの信号処理を施した後にデジタル信号に変換する信号処理回路などを含んでいる。ここに、撮像素子２ａは、露光量に応じた信号電荷を発生させる複数の画素が２次元状に配列された撮像領域を有し、撮像領域内の所望の部分領域のみを読み出し可能となっている。そして、本実施形態においては、撮像素子２ａはレンズ１の撮影光軸に垂直な面内を移動可能に構成されていて、手振補正機能を備えたものとなっている。
【００１８】
画像処理部３は、撮像部２から出力される画像信号に種々の画像処理を施すものである。この画像処理部３は、撮像部２からの信号に基づいて測光データを算出し、カメラ制御部１２へ出力する機能を備えている。さらに、この画像処理部３は、画像信号から特定の被写体の特徴を示す特徴量を抽出したり、所定の特徴量（例えば、過去に抽出された特定の被写体の特徴を示す特徴量など）に類似する特徴量を画像信号（ここに、画像信号は静止画像信号および動画像信号を含み、静止画像信号はフィールド読出されるフィールド画像信号を含み、動画像信号はスルー画像信号および下記に説明する切出画像信号を含む）から抽出したりする特徴量抽出部たる特徴抽出部３ａを備えている。
【００１９】
ＡＦ評価値演算部４は、撮像部２から出力された画像信号に基づいてＡＦ評価値を算出し、カメラ制御部１２へ出力するものである。すなわち、この撮像装置は、コントラストＡＦによりオートフォーカスを行うように構成されたものとなっている。
【００２０】
表示部５は、画像処理部３により表示用に画像処理された信号に基づき、画像を表示するものである。この表示部５は、ライブビュー（ＬＶ）表示や静止画像表示を行うとともに、この撮像装置に係る各種の情報等も表示するようになっている。
【００２１】
メモリカード６は、画像処理部３により記録用に画像処理された信号を保存するための記録媒体である。
【００２２】
手振検出部７は、加速度センサ等を有して構成され、この撮像装置の手振れを検出してカメラ制御部１２へ出力するものである。
【００２３】
手振補正部８は、カメラ制御部１２の制御に基づいて、検出された手振れを相殺するようにレンズ１と撮像素子２ａとの少なくとも一方を移動させ、撮像素子２ａの撮像領域上に結像される光学的な被写体像に手振れの影響が生じるのを軽減するためのものである。
【００２４】
露光制御部９は、カメラ制御部１２により決定されたシャッタ速度（露光時間）に基づいて、該カメラ制御部１２の制御の下に、撮像素子２ａの素子シャッタ（この素子シャッタには、グローバルシャッタ、すなわち、撮像素子２ａの全画素を一括リセットすることにより撮影用の露光を開始し、所定の露光時間が経過した後に全画素の画像信号を一括転送して露光を終了するシャッタが含まれている）の制御を行う撮像制御部である。この露光制御部９は、後で詳しく説明するように、第１の撮像制御において、全撮像領域の露光を同一時点で行わせた後に一続きの複数フィールドの読み出しを行うことで全撮像領域の読み出しが完了するように読み出しを制御するとともに、第１の撮像制御における順序が連続する２つのフィールド読出期間の間に、第２の撮像制御に係る画像信号を読み出すように制御するものとなっている。さらに、露光制御部９は、カメラ制御部１２により決定された絞り値に基づいて、レンズ１に含まれる絞りの制御等も行うようになっている。ここに、シャッタ速度および絞り値は、撮像部２から出力された画像信号に基づいて画像処理部３により算出された測光データと、カメラ操作部１１により設定された感度と、等を用いて、例えばＡＰＥＸシステムに沿ったプログラム線図等に基づきカメラ制御部１２により決定される。また、露光制御部９は、撮像素子２ａの駆動情報をカメラ制御部１２へ出力するようになっている。
【００２５】
フォーカス制御部１０は、焦点を調節するためにレンズ１を駆動するものである。すなわち、フォーカス制御部１０は、ＡＦ評価値演算部４からＡＦ評価値を受けたカメラ制御部１２の制御に基づいて、レンズ１に含まれるフォーカスレンズを駆動し、撮像部２に結像される被写体像が合焦に至るようにするものである。また、フォーカス制御部１０は、レンズ位置などのレンズ駆動情報をカメラ制御部１２へ出力するようになっている。
【００２６】
カメラ操作部１１は、この撮像装置に対する各種の操作入力を行うための操作部である。このカメラ操作部１１には、撮像装置の電源をオン／オフするための電源スイッチ、静止画撮影、動画撮影などを指示入力するためのレリーズボタン、静止画撮影モードや動画撮影モード、静止画撮影モードにおける単一画像撮影モードや連写撮影モード、ＡＦモード（コンティニュアスＡＦ、シングルＡＦ、マニュアルフォーカス等）、ＡＥモード（プログラムＡＥ、絞り優先ＡＥ、シャッタ速度優先ＡＥ、マニュアルＡＥ等）、ライブビューモードなどを設定するためのモードボタン、拡大表示を開始／終了するための拡大表示ボタン、マニュアルフォーカスモードにおいて拡大表示を行う際の画像拡大率を設定するためのボタン、撮像領域内の所望の部分領域を全画像中から特徴量を抽出しようとする部分領域として指定するための領域設定ボタン等の操作部材が含まれている。
【００２７】
カメラ制御部１２は、フォーカス制御部１０からのレンズ駆動情報やＡＦ評価値演算部４からのＡＦ評価値、手振検出部７からの手振情報、カメラ操作部１１からの操作入力などに基づいて、画像処理部３、メモリカード６、手振補正部８、露光制御部９、フォーカス制御部１０等を含むこの撮像装置全体を制御するものである。
【００２８】
続いて、図２は、撮像素子２ａの撮像領域に設けられている画素の構成例を示す回路図である。
【００２９】
図２において、ＰＤ（フォトダイオード）は光電変換部であり、ＦＤ（フローティングディフュージョン）は光電変換部ＰＤの信号を一時的に保持する信号蓄積部である。
【００３０】
ＦＴは、ＰＤリセットパルスが印加されると光電変換部ＰＤをリセットするトランジスタであり、光電変換部ＰＤと電圧源ＶＤＤとに接続されている。
【００３１】
光電変換部ＰＤと信号蓄積部ＦＤとの間には、３つのトランジスタＴＸ１，ＴＸ２，ＴＸ３が直列に接続されていて、トランジスタＴＸ１およびＴＸ３に制御信号を印加してポテンシャル障壁を形成することにより、トランジスタＴＸ２下の半導体部をメモリとして機能させることができるようになっている。従って、トランジスタＴＸ１は、光電変換部ＰＤの信号をトランジスタＴＸ２下へ転送するゲート部として機能し、トランジスタＴＸ３は、トランジスタＴＸ２下の信号を信号蓄積部ＦＤへ転送するゲート部として機能する。また、３つのトランジスタＴＸ１，ＴＸ２，ＴＸ３は、総体として、光電変換部ＰＤの信号を信号蓄積部ＦＤへ転送する転送部、ゲート部として機能することになる。
【００３２】
Ｔａは増幅部として機能する増幅用トランジスタであり、電圧源ＶＤＤと電流源とでソースフォロアンプを構成する。信号蓄積部ＦＤの信号は、増幅用トランジスタＴａにより増幅され、選択パルスを印加された選択トランジスタＴｂを介して垂直転送線に出力される。
【００３３】
Ｔｃは信号蓄積部ＦＤおよび増幅用トランジスタＴａの入力部をリセットするトランジスタであり、ＦＤリセットパルスが印加されるようになっている。
【００３４】
次に、図３〜図８を参照して、画素における電荷の転送について説明する。図３は電荷蓄積中（露光中）の画素内のポテンシャルおよび電荷の様子を示す図、図４はグローバル転送中の画素内のポテンシャルおよび電荷の様子を示す図、図５はグローバル転送が完了した後にトランジスタＴＸ２下に電荷を保持しているときの画素内のポテンシャルおよび電荷の様子を示す図、図６はトランジスタＴＸ２下の電荷が転送されるのを待機しているときの画素内のポテンシャルおよび電荷の様子を示す図、図７はトランジスタＴＸ２下から信号蓄積部ＦＤへ電荷を転送しているときの画素内のポテンシャルおよび電荷の様子を示す図、図８は信号蓄積部ＦＤに電荷を保持しているときの画素内のポテンシャルおよび電荷の様子を示す図である。なお、光電変換により発生する電荷は電子であるために、これらの図においては、ポテンシャルの高い方が低電位、ポテンシャルの低い方が高電位となっている。
【００３５】
電荷の蓄積を開始する前に、トランジスタＦＴにリセットパルスを印加することにより、光電変換部ＰＤのリセットを行う。グローバルシャッタ時には、この光電変換部ＰＤのリセットが、撮像素子２ａ内の全ての画素について同時に行われる。そして、光電変換部ＰＤのリセットが終了した時点が、露光開始の時点となる。
【００３６】
光電変換部ＰＤに光が照射されると、光電効果によって電荷となる電子が発生する。発生した電荷は、図３に示すように、トランジスタＦＴおよびトランジスタＴＸ１よりもポテンシャルが低い光電変換部ＰＤにおいて蓄積される。
【００３７】
所定の露光時間が経過したら、トランジスタＴＸ１およびトランジスタＴＸ２のポテンシャルを光電変換部ＰＤのポテンシャルよりも低くすることにより、図４に示すように、光電変換部ＰＤ内の電荷をトランジスタＴＸ２へ転送する。この電荷の転送により露光が終了する。グローバルシャッタ時には、この光電変換部ＰＤからの電荷の転送が、撮像素子２ａ内の全ての画素について同時に行われる（グローバル転送）。
【００３８】
光電変換部ＰＤからの電荷の転送が終了した後には、トランジスタＴＸ１のポテンシャルが再び高くなるように制御する。これにより、図５に示すように、電荷はメモリとして機能するトランジスタＴＸ２下に蓄積され、その後の読み出しを待機することになる。
【００３９】
読み出しを行うときには、まず図６に示すように、トランジスタＴＸ２のポテンシャルが信号蓄積部ＦＤよりも高くなるように制御する。
【００４０】
そして、トランジスタＴｃにＦＤリセットパルスを印加して信号蓄積部ＦＤをリセットした後に、選択トランジスタＴｂに選択パルスを印加して信号蓄積部ＦＤのリセット電圧を読み出す。
【００４１】
その後に、トランジスタＴＸ２のポテンシャル井戸から信号蓄積部ＦＤのポテンシャル井戸へ電荷が移動するようにトランジスタＴＸ３のポテンシャルを制御することにより、図７に示すように、電荷をトランジスタＴＸ２下から信号蓄積部ＦＤへ転送する。
【００４２】
電荷が転送されたら、トランジスタＴＸ３のポテンシャルが再び高くなるように制御して、図８に示すように、電荷を信号蓄積部ＦＤに保持する。そして、選択トランジスタＴｂに選択パルスを印加して信号蓄積部ＦＤに蓄積された信号電圧を読み出す。ここで読み出された信号電圧は、先に読み出されたリセット電圧分を補正されて撮像素子２ａから出力される。
【００４３】
このように図２に示す画素構成を備えた撮像素子２ａからは、リセットノイズが補正された画像信号が出力されることになる。
【００４４】
なお、上述では図２のような画素構成を一例として説明したが、このような構成では、第２の撮像制御に係る画像信号の読み出しは、第１の撮像制御による読み出しが終了したフィールドの画素からしか行うことができない制約がある。しかし、本実施形態に適用可能な画素構成はこれに限るものではないことは勿論であり、その他の種々の画素構成を適用可能である。
【００４５】
ここで、図９および図１０を参照して、本実施形態に適用可能な画素構成の他の例を幾つか説明する。ここに、図９は撮像素子２ａの撮像領域に設けられる画素の他の第１の構成例を示す回路図、図１０は撮像素子２ａの撮像領域に設けられる画素の他の第２の構成例を示す回路図である。
【００４６】
まず、図９に示す画素構成例は、光電変換部ＰＤと信号蓄積部ＦＤとの間に、３つのトランジスタＴＸ１，ＴＸ２，ＴＸ３と並列となるように、転送部、ゲート部として機能するトランジスタＴＸ４をさらに設けたものとなっている。このような構成によれば、第１の撮像制御により得られた画像信号を読み出す前であっても、トランジスタＴＸ２下に保持しておけば、第２の撮像制御に係る画像信号を読み出すことが可能である。ただし、この場合には、第２の撮像制御に係る画像信号の読み出しは、例えばライン毎のタイミングで順次に行われる、いわゆるローリングシャッタ読み出しとなる。従って、第２の撮像制御に係る光電変換部ＰＤのリセットも、ローリングシャッタ読み出しから所定の露光時間だけ遡った時点の、ライン毎のタイミングで順次に行われることになる。
【００４７】
次に、図１０に示す画素構成例は、光電変換部ＰＤと信号蓄積部ＦＤとの間に、３つのトランジスタＴＸ１，ＴＸ２，ＴＸ３と並列となるように、直列に接続された３つのトランジスタＴＸ４，ＴＸ５，ＴＸ６をさらに設けたものとなっている。これら３つのトランジスタＴＸ４，ＴＸ５，ＴＸ６の機能は、上述した３つのトランジスタＴＸ１，ＴＸ２，ＴＸ３の機能とそれぞれ同一である。このような構成によっても、第１の撮像制御により得られた画像信号をトランジスタＴＸ２下またはトランジスタＴＸ５下の何れかに保持しておけば、該画像信号を読み出す前に、第２の撮像制御に係る画像信号を読み出すことが可能である。そして、この場合には、第２の撮像制御に係る画像信号の読み出しを、ローリングシャッタ読み出し、グローバルシャッタ読み出しと、の何れによっても行うことが可能となる。
【００４８】
そして、図９や図１０に示したような画素構成の撮像素子２ａを用いれば、図２に示したような画素構成の撮像素子２ａに生じていた制約を受けることがなくなり、第２の撮像制御において後述するような第１の撮像制御におけるインターレース読み出しの制約を受けた間引き画像でなく、全画素読み出しと同様の間引きのない稠密な画像を読み出すことが可能となる。従って、後述するような拡大表示を行っても、表示画像が粗くなるのを防いで、精細な画像を表示することができる。
【００４９】
図１１はライブビュー時の撮像装置の動作を示すタイミングチャートである。
【００５０】
撮像素子２ａを含む撮像部２の動作は、露光制御部９から発生される垂直同期信号ＶＤに基づいて行われる。
【００５１】
この垂直同期信号ＶＤは、この図１１に示す例においては、動画用の短い周期の信号と、静止画用の長い周期の信号と、が所定のパターンで交互に発生されるようになっている。
【００５２】
ここに、動画像用の垂直同期信号ＶＤの周期が静止画像用の垂直同期信号ＶＤの周期よりも短いのは、次の理由による。すなわち、撮像素子２ａに設けられている全画素の数に比べて、表示部５に設けられている表示画素の数は少ないことが一般的である（例えば、前者は１０００万画素であるのに対して後者は３０万画素など）。従って、動画像信号は、例えば複数ラインに１ラインの割合（一例としては、６ラインに１ラインの割合）で間引くことにより読み出されるとともに、１ライン内においても画素加算等が行われ、読み出しに要する時間は静止画像の数分の１で済むからである。
【００５３】
そして、短周期垂直同期信号ＶＤと長周期垂直同期信号ＶＤとを合わせた周期が、動画像の表示周期と同一となるように構成されている。ここに動画像の撮像動作（第２の露光制御による動作）は、図１１に示すように、縦点線で示すグローバルリセットを行い、動画露光時間だけ経過した後に縦線で示すグローバル転送を行うことにより実行される。そしてその後に、短周期垂直同期信号ＶＤに同期して、例えばライン単位で順次、動画用ラインの信号の読み出しが行われる（図１１において斜め線で示している）。従って、動画像は表示周期に同期して撮像素子２ａから出力されることになる。
【００５４】
この図１１に示す例においては、動画像の読出は、例えば偶数ライン（２Ｎライン：Ｎは正の整数）の一部または全部に対して行われる。
【００５５】
撮像素子２ａから読み出された動画像信号は、画像処理部３により動画表示用に処理された後に、表示部５にライブビュー画像として表示される。
【００５６】
次に、図１２は複数枚の静止画像を連写撮影して読み出している最中にもライブビュー表示を行うときの撮像装置のシームレスシーケンス動作を示すタイミングチャートである。
【００５７】
ここに、シームレスシーケンスとは、静止画像を撮像する前に行われていた動画像の撮影が、静止画像を撮影している最中も途切れることなく行われることを意味している（ただし、静止画像を撮影する際のシャッタ速度が動画フレームレート（あるいは動画フィールドレート）よりも遅い場合には、静止画像の露光と動画像の露光とを同時に行うことができないために、動画像の撮影が途切れることもあり得る。従って、途切れることがないといっても、基本的には途切れないという程度の意味である）。従って、動画像の撮影を停止しない限り、静止画像の撮影後にも動画像の撮影が引き続き行われることになる。
【００５８】
この場合のシームレスシーケンス動作は、図１１に示したライブビュー動作に、静止画像の露光、静止画像の読み出し、静止画像の画像処理の各動作を付け加えたものとなる。
【００５９】
すなわち、静止画像の撮像動作（第１の露光制御による動作）は、図１２に示すように、太縦点線で示すグローバルリセットを行い、静止画露光時間だけ経過した後に太縦線で示すグローバル転送を行うことにより実行される。そしてその後に、長周期垂直同期信号ＶＤに同期して、例えばライン単位で順次、静止画用の全ラインの信号の読み出しが行われる（図１２において斜め太線で示している）。
【００６０】
ただし、１つの長周期の垂直同期期間内に静止画用の全ラインを読み出すことはできないために、静止画像の読み出しは複数の長周期の垂直同期期間に分割して行われる（分割読出）。この図１２に示す例においては、偶数ライン（２Ｎライン）と奇数ライン（２Ｎ＋１ライン）とに２分割して、長周期の垂直同期期間毎に読み出しが行われる例を示すが、３以上に分割して読み出しても勿論構わない。また、動画用ラインとしては、第１回目の分割読出が行われるライン（図１１および図１２に示す例においては上述したように偶数ライン）の一部または全部のラインが用いられる。
【００６１】
なお、静止画像および動画像の何れについても、垂直同期信号ＶＤに同期させるのは画像信号の読み出しであるために、露光期間はそれよりも時間的に遡った垂直同期期間に行われることになる。従って、静止画像の読出と動画像の露光とが期間的に重複したり、動画像の読出と静止画像の露光とが期間的に重複したりすることが生じ得るが、例えば図２に示したような構成の撮像素子２ａを用いているために、比較的容易にこのような重複を実現することができる。
【００６２】
撮像素子２ａから読み出された静止画像信号は、画像処理部３により静止画用に処理された後に、例えばメモリカード６に保存される。
【００６３】
そして、この静止画像の読み出しを行っている最中も、表示部５へのライブビュー画像の表示は継続して行われる（シームレスシーケンス動作）。
【００６４】
次に、図１３は、マニュアルフォーカスモード時における撮像装置のシームレスシーケンス動作を示す図である。この図１３において、左欄から右欄へ行くにつれて、時間が経過しているものとする。また、図１４は全画面を分割した分割エリアから被写体が写っているエリアをユーザが選択する様子を説明するための図、図１５は選択されたエリアを含むように画像信号の切り出しが行われ、特徴量を抽出する様子を説明するための図、図１６は追尾切出処理を示すフローチャートである。
【００６５】
本実施形態の撮像装置の追尾切出処理を、図１３〜図１５を適宜参照しながら、図１６に沿って説明する。
【００６６】
撮像装置にマニュアルフォーカスモードが設定されると、この図１６に示す処理を開始する。
【００６７】
まず、図１１を参照して説明したようにライブビュー画像（スルー画像）を表示して、図１４に示したような全画面の分割エリア（この分割エリアは、例えば、マニュアルフォーカスモードにおいて設定された画像拡大率に応じて異なる大きさに設定されても良い）の中から、ユーザがカメラ操作部１１を操作することにより、マニュアルフォーカスを行うために拡大表示をしたい被写体ＯＢＪが写っているエリア（部分領域）ＳＡ（図１４参照）を選択する（ステップＳ１）。
【００６８】
すると、特徴抽出部３ａは、カメラ制御部１２の制御に基づいて、選択されたエリアＳＡの特徴量（所定の特徴量）を抽出する（ステップＳ２）。ここに、特徴量の抽出は、例えば、選択されたエリアＳＡを含みさらにその周囲の余裕エリアも含むように追尾エリアＣＡを設定して、追尾エリアＣＡをさらに細分化し、細分エリア毎に抽出することにより行われる。ここでは、例えば図１５に示すような黒四角で示す中心細分エリアの特徴量と、黒丸で示す周辺細分エリアの特徴量とが、図示のような特徴量の配置情報とともに得られたものとする。こうして抽出された特徴量は、特徴抽出部３ａ（または画像処理部３）内、もしくはカメラ制御部１２内の図示しないメモリに記憶しておく。
【００６９】
続いて、次のフレームのスルー画像を取得して（ステップＳ３）、取得したスルー画像の特徴量を、上述したように各分割エリアをさらに細分化しながら、全ての分割エリアについて算出する（ステップＳ４）。
【００７０】
そして、特徴抽出部３ａは、カメラ制御部１２の制御に基づいて、ステップＳ２において抽出されメモリに記憶された選択エリアＳＡの特徴量と、ステップＳ４において算出された分割エリアの特徴量とを逐次比較して行き、ステップＳ１で選択したエリアＳＡと類似する（つまり相関性が高い）特徴量が抽出された分割エリアを検索する。さらに、特徴抽出部３ａは、カメラ制御部１２の制御に基づいて、最も類似する特徴量が抽出された分割エリアを中心とした近傍領域において、分割エリアを細分エリア単位で移動することにより、さらに高い相関性があるエリアを検索し、検索された中で最も相関性が高い特徴量が抽出される分割エリアを決定する。具体的に図１５に示す例においては、全画面を分割した分割エリアＳＡは、被写体ＯＢＪよりも水平方向に１細分エリアだけずれていて、その分相関性が低下することになる。そこで、分割エリアを細分エリア単位で移動することにより、一点鎖線で示すような被写体エリアＯＡを検索する。言い替えれば、ユーザにより選択されたエリアに類似するエリアを、選択単位よりも細かい刻み単位で検索する（ステップＳ５）。これにより、後述する切り出しエリアの予測精度を向上することができる。
【００７１】
続いて、カメラ制御部１２は、前フレームにおける類似エリア（推定された被写体エリアＯＡ）と現在フレームにおける類似エリアとの座標移動量（動きベクトル）を決定する（図１３も参照）（ステップＳ６）。
【００７２】
そして、マニュアルフォーカスモード時におけるシームレスシーケンス動作、すなわちシームレス拡大表示を開始するか否かを判定する（ステップＳ７）。この開始の判定は、例えば、所望の被写体をユーザが指定し、ユーザの意図通りに被写体を追尾することが確認され、かつ、ユーザによりマニュアルでピント調整された状態において、ユーザがカメラ操作部１１のレリーズボタンを押した、という条件が満たされたか否かに基づき行われる。シームレス拡大表示が開始されると、カメラは、連写動作を繰り返すと同時に、拡大追尾表示をシームレスに行う。これによりユーザは、自己が指定した被写体のピント状態を常に確認しながら、かつピントの微調整を所望に加えつつ、連写撮影を継続することができる。
【００７３】
ここで、シームレス拡大表示をまだ開始しないと判定された場合には、上述したステップＳ１へ戻る。なお、ステップＳ７の判定によりステップＳ１へ戻ったときには、ユーザは拡大表示をしたい被写体ＯＢＪが写っているエリアＳＡを新たに選択し直すことができ、新たにエリアＳＡが選択された場合にはステップＳ２においてその被写体の特徴量が抽出されることになる。ただし、ユーザが新たな選択を行わない場合には、既存の選択がそのまま用いられることになるために、ステップＳ１およびステップＳ２の処理はスルーされて、ステップＳ３の処理へ進むことになる。
【００７４】
一方、ステップＳ７において、シームレス拡大表示を開始すると判定された場合には、まず、シームレス拡大表示を終了するか否かを判定する（ステップＳ８）。この判定は、レリーズボタンが押されている状態が解除されたか否かに基づき、つまり、ユーザが撮影を終了する意図の操作を行ったか否かに基づき、行われる。
【００７５】
シームレス拡大表示を終了しないと判定された場合には、静止画のグローバル露光（第１の露光）を行い、露光が終了したら、このグローバル露光により蓄積された信号による静止画像フレーム（読み出しによって次に得られるフレーム）のシームレスインターレース取り込みにおける第１フィールド目であるか否かを判定する（ステップＳ９）。
【００７６】
そして、第１フィールド目であると判定された場合には、静止画像の第１フィールド目（例えば偶数フィールド）を第１の画像信号としてインターレース取り込みする（ステップＳ１０）。これは、第１の露光が行われた撮像領域の全体を一定の割合で間引くかあるいは分割して第１の画像信号として読み出す第１の撮像制御である。ここで取り込んだ第１フィールド画像は、画像処理部３内の図示しないメモリに記憶しておく。
【００７７】
続いて、取り込んだ第１フィールド画像の特徴量を、上述したように各分割エリアをさらに細分化しながら、全ての分割エリアについて算出する（ステップＳ１１）。
【００７８】
次に、上述したステップＳ５と同様に、メモリに記憶された選択エリアＳＡの特徴量と最も相関性の高い特徴量を有する被写体エリアＯＡ（類似エリア）を検索する（ステップＳ１２）。
【００７９】
一方、ステップＳ９において第２フィールド目であると判定された場合には、静止画像の第２フィールド目（例えば奇数フィールド）を第１の画像信号としてインターレース取り込みして（ステップＳ１３）、後述するステップＳ１４へ行く。これも、第１の露光が行われた撮像領域の全体を一定の割合で間引くかあるいは分割して第１の画像信号として読み出す第１の撮像制御である。このように第２フィールド画像を取得した後には類似エリアの検索を省略するのは、第１フィールドと第２フィールドとは同一時点で露光された画像であるために、類似エリアの位置は第１フィールド画像と同一になってしまうからである。また、取得された第２フィールド画像は、画像処理部３内の図示しないメモリに上述したように記憶されている第１フィールド画像と合成されて、図１３に示すように静止画像が生成され、メモリカード６に記録される。
【００８０】
その後、カメラ制御部１２は、前フレームにおける類似エリア（推定された被写体エリアＯＡ）と現在フレームにおける類似エリアとの座標移動量（動きベクトル）を図１３に示すように決定する（ステップＳ１４）。この座標移動量（動きベクトル）の決定は、被写体位置の予測精度をより高めるために、最新の類似エリアを含む、露光時点が新しい方から２つ以上の類似エリア（ただし、検索が失敗した類似エリアは除く）の位置情報を基本的に用いることで行う（ただし、最新の情報を含まなくても予測は可能であるために、最新の情報を含むことに限定されるものではない）。すなわち、類似エリアの位置情報が得られるのは、ステップＳ１０において取り込まれた第１フィールド画像、後述するステップＳ１８において取り込まれる切出画像であり、切出画像については１フレームの静止画像を取得する間に本実施形態で説明する例においては２回取り込まれることになる。従って、座標移動量（動きベクトル）の決定には、１枚の静止画像と２枚の切出画像の内の新しい方から２つ以上から取得された類似エリアの位置情報を少なくとも用いることになる。なお、被写体の移動軌跡が複雑な曲線である場合もあり得るために、予測精度をより高めるためにより多くの過去データを用いるようにしても勿論構わない。また、シームレス拡大表示開始直後等、ステップＳ１４における処理の前フレームは、必要に応じてステップＳ１〜Ｓ７までに取り込まれたスルー画像も使用する。
【００８１】
そして、決定された座標移動量に基づいて、カメラ制御部１２は、図１３に示すように予測切出位置（より正確には、露光時点で被写体が位置すると予測される切出範囲であるが、予測誤差を考慮して、図１３に示すように、表示範囲よりもやや広めに設定している）を算出する（ステップＳ１５）。このようにカメラ制御部１２は、異なる時点の露光により得られた複数の第１の画像信号または第２の画像信号から抽出された、複数の所定の特徴量に類似する特徴量の位置に基づいて、下記に説明する第２の撮像制御により読み出す部分領域の位置を示すパラメータを決定するパラメータ決定部である。このとき上述した例では、パラメータ決定部であるカメラ制御部１２は、第１の画像信号または第２の画像信号の内の、最新の露光を含む複数の時点の露光により得られた、複数の所定の特徴量に類似する特徴量の位置に基づいて、第２の撮像制御により読み出す部分領域の位置を示すパラメータを決定するものとなっている。
【００８２】
続いて、露光制御部９は、撮像部２に露光（第２の露光）を行わせ、上述したように決定されたパラメータに基づいて第２の撮像制御により次に読み出す部分領域の位置を制御し、第１フィールドに対応する例えば偶数ラインにおける予測切出位置の読み出しを行わせる（ステップＳ１６）。これは、撮像素子２ａに第１の露光とは異なる時点の第２の露光を行わせ、第２の露光が行われた撮像領域内の部分領域を第２の画像信号として読み出す第２の撮像制御である。ここでは画面全体の一部を切り出して読み出しを行うために、表示部５に表示したときの画像が粗くなることのないように、スルー画像を読み出すときよりも稠密なライン間隔で、偶数ラインからの読み出しを行う。具体例としては、スルー画像が６ラインに１ラインの割合（６Ｎライン）で読み出すとすると、切出画像は偶数ライン（２Ｎライン）で構成される画像中の部分領域（すなわち、これも２Ｎライン）を読み出す、等が挙げられる。
【００８３】
そして、特徴抽出部３ａは、切り出し撮像により得られた画像（第２の画像）全体の特徴量を、細分エリア毎に算出し（ステップＳ１７）、切り出した画像中における、メモリに記憶された選択エリアＳＡの特徴量（所定の特徴量）と最も相関性の高い（すなわち、類似する）特徴量を有する被写体エリアＯＡ（類似エリア）を検索する（ステップＳ１８）。この処理は、切り出しエリアの予測誤差を補正するために行う。
【００８４】
そして、カメラ制御部１２は、類似エリアが検索されたか否かを判定する（ステップＳ１９）。ここで類似エリアが検索された場合には、ステップＳ１６の切り出し撮像により得られた画像の中から、拡大率に応じた切り出しエリアを抽出して表示部５の画面に表示してから（ステップＳ２０）、ステップＳ８へ行って上述したような処理を行う。
【００８５】
一方、ステップＳ１９において、類似エリアが検索されなかった場合には、表示部５の画面に、例えば、最も類似度が高いと判定されたエリアを表示してから（ステップＳ２１）、ステップＳ８へ行って上述したような処理を行う。
【００８６】
こうして、ステップＳ８において、シームレス拡大表示を終了すると判定された場合には、この処理を終了して、例えば通常のライブビュー画像（スルー画像）の表示へ移行する。
【００８７】
なお、上述においては、移動量を細分エリア単位で決定しているが、勿論、第１フィールドで得られる画像の画素単位でより精細に決定するようにしても構わない。
【００８８】
また、上述においては、マニュアルフォーカスモード時のシームレスシーケンス動作において表示部５に表示するのは被写体の拡大画像のみであるが、勿論これに限るものではなく、全体画像と拡大画像との両方を表示して、全体画像による構図の決定と、拡大画像によるマニュアルでの正確なピント合わせと、の両方を行うことができるようにしても構わない。ここに、表示用の全体画像としては、大まかな構図を決定するためであれば（すなわち、リアルタイム性がやや低下しても構わなければ）、連写時に得られる静止画像を用いることができる。あるいは、上述したステップＳ１６において、２Ｎラインの切出画像を取得するだけでなく、さらにスルー画像（６Ｎライン）よりもさらに間引かれた例えば１２Ｎラインの全体画像も取得するようにすれば、リアルタイムの全体画像を得ることができる。また、単一の静止画像を撮影した後には、撮影された静止画像を表示するようにしても良い。さらに、どのような表示態様とするかはユーザが選択できるようにしても構わない。
【００８９】
このような実施形態１によれば、静止画像撮像時にもシームレス拡大表示が行われるために、マニュアルフォーカスによる連写撮影を行うことが可能となる。
【００９０】
さらに、露光時の被写体の位置を予測して切り出すことによりシームレス拡大表示を行っているために、動く被写体に対しても対応することが可能となる。
【００９１】
加えて、切出位置の予測が失敗するなどして類似エリアが発見されない場合には、画面全体画像を取得して全ての分割エリアの特徴量を抽出するようにしているために、連写シームレスシーケンスの中で自然に再起を図ることができる。
【００９２】
そして、切出位置の予測を、最新の静止画フレーム画像と、切出画像等の最新の動画像と、に基づいて行っているために、時間分解能が高くより精度の高い予測を行うことが可能となる。
【００９３】
また、手振れを検出して補正するようにしたために、画像中における着目する被写体が手振れによって移動するのを抑制することができ、高い予測精度を維持することが可能となる。
【００９４】
さらに、撮像素子２ａから読み出す切出画像を、表示画像よりも一回り大きめにしているために、さらに位置の微調整を行ってより安定した被写体の拡大表示を行うことが可能となる（つまり、予測位置の誤差に起因して拡大表示された被写体の位置がぶれるのを、抑制することができる）。
【００９５】
こうして、本実施形態の電子撮像装置によれば、動く被写体に対してもマニュアルフォーカスを行うことが可能となる。
［実施形態２］
【００９６】
図１７および図１８は本発明の実施形態２を示したものであり、図１７はマニュアルフォーカスモード時における撮像装置の動作を示す図、図１８は追尾切出処理を示すフローチャートである。なお、図１８においては、上述した図１３と同様に、左欄から右欄へ行くにつれて、時間が経過しているものとする。
【００９７】
この実施形態２において、上述の実施形態１と同様である部分については同一の符号を付して説明を省略し、主として異なる点についてのみ説明する。
【００９８】
本実施形態の電子撮像装置の構成、撮像素子２ａの構成や基本的な作用、撮像装置のライブビュー時の動作、撮像装置のシームレスシーケンス動作については、上述した図１〜図１２を参照して説明したものとほぼ同様である。
【００９９】
そして、本実施形態は、静止画像の読み出しを行っていないときの拡大表示（つまり、シームレスシーケンス動作ではない拡大表示）の例を示し、切出画像の撮像と所定のパターンで交互に行うのを、上述した実施形態１の静止画像の読み出しに代えて、スルー画像の撮像としたものである。
【０１００】
次に、本実施形態の撮像装置の追尾切出処理を、図１７を適宜参照しながら図１８に沿って説明する。
【０１０１】
図１８に示す処理を開始すると、上述したステップＳ１からステップＳ６の処理を行う。
【０１０２】
続いて、マニュアルフォーカスモード時における拡大表示を開始するか否かを判定する（ステップＳ３１）。この判定は、カメラ操作部１１の拡大表示ボタンが押されたか否かに基づき、つまり、ユーザが拡大表示を開始する意図の操作を行ったか否かに基づき、行われる。
【０１０３】
ここで、拡大表示をまだ開始しないと判定された場合には、上述したステップＳ１へ戻る。なお、ステップＳ３１の判定によりステップＳ１へ戻ったときには、ユーザは拡大表示をしたい被写体ＯＢＪが写っているエリアＳＡを新たに選択し直すことができ、新たにエリアＳＡが選択された場合にはステップＳ２においてその被写体の特徴量が抽出されることになる。ただし、ユーザが新たな選択を行わない場合には、既存の選択がそのまま用いられることになるために、ステップＳ１およびステップＳ２の処理はスルーされて、ステップＳ３の処理へ進むことになる。
【０１０４】
一方、ステップＳ３１において、拡大表示を開始すると判定された場合には、まず、拡大表示を終了するか否かを判定する（ステップＳ３２）。この判定は、カメラ操作部１１の拡大表示ボタンが再度押されたか否かに基づき、つまり、ユーザが拡大表示を終了する意図の操作を行ったか否かに基づき、行われる。
【０１０５】
拡大表示を終了しないと判定された場合には、上述したステップＳ３と同様に、次のフレームのスルー画像を撮像する（ステップＳ３３）。これは、第１の露光が行われた撮像領域の全体を一定の割合で間引くかあるいは分割して第１の画像信号として読み出す第１の撮像制御である。そして、得られたスルー画像を対象として、上述したステップＳ１１およびステップＳ１２の処理を行う。
【０１０６】
続いて、前フレーム（前スルー画像フレーム）における類似エリア（推定された被写体エリアＯＡ）と現在フレーム（現スルー画像フレーム）における類似エリアとの座標移動量（動きベクトル）を図１７に示すように決定する（ステップＳ３４）。上述した実施形態１では、次の切出画像の切出位置を決定しようとする際に、静止画像露光時点よりも後の時点で露光された切出画像が存在することがあったが、本実施形態においては、切出画像を読み出す前に必ずスルー画像が取得されるために、最新の被写体の位置情報が得られるのはスルー画像からとなる。ただし、最新の１つ前の被写体の位置情報は、前スルー画像フレームからでなく最新の切出画像から得られるために、前スルー画像フレームにおける類似エリアに代えて、もしくは前スルー画像フレームにおける類似エリアに加えて、最新の切出画像における類似エリアを用いるようにすると良い。
【０１０７】
次に、ステップＳ１５およびステップＳ１６の処理を行う。ここに、ステップＳ１６における切出撮像の制御（第２の撮像制御）は、ステップＳ３３のスルー画像の撮像制御（第１の撮像制御）よりも間引く画素の割合を少なくして、または間引くことなく、撮像領域内の部分領域を第２の画像信号として読み出す制御となっている。
【０１０８】
その後、ステップＳ１７〜Ｓ１９、およびステップＳ２０またはステップＳ２１の処理を行い、ステップＳ２０またはステップＳ２１の処理が終了したら、ステップＳ３２へ戻る。ここに、ステップＳ３２〜Ｓ１９、およびステップＳ２０またはステップＳ２１の処理を繰り返して行う場合には、露光制御部９は、第１の撮像制御と第２の撮像制御とを所定のパターンで交互に行うように制御することになる。
【０１０９】
こうして、ステップＳ３２において、拡大表示を終了すると判定された場合には、この処理を終了して、例えば通常のライブビュー画像（スルー画像）の表示へ移行する。
【０１１０】
このような実施形態２によれば、静止画像を撮像しようとするときに拡大表示を行うことができるために、マニュアルフォーカスが可能となる。
【０１１１】
さらに、露光時の被写体の位置を予測して切り出すことにより拡大表示を行っているために、動く被写体に対しても対応することが可能となる。
【０１１２】
加えて、拡大表示を行うために画像を切り出すフレームの前に、被写体の位置を予測するために全画面を読み出すフレームを入れているために、画面内に被写体をより確実に捉えることができ、被写体の位置予測をより一層確実に行うことができる。
【０１１３】
また、切出位置の予測を、最新のスルー画像と、最新の１つ前の切出画像もしくはスルー画像と、に基づいて行う場合には、時間分解能が高くより精度の高い予測を行うことが可能となる。
【０１１４】
そして、本実施形態においても手振れを検出して補正するようにしているために、画像中における着目する被写体が手振れによって移動するのを抑制することができ、高い予測精度を維持することが可能となる。
【０１１５】
さらに、撮像素子２ａから読み出す切出画像を、表示画像よりも一回り大きめにしているために、さらに位置の微調整を行ってより安定した被写体の拡大表示を行うことが可能となる（つまり、予測位置の誤差に起因して拡大表示された被写体の位置がぶれるのを、抑制することができる）。
【０１１６】
こうして、本実施形態の電子撮像装置によれば、動く被写体に対してもマニュアルフォーカスを行うことが可能となる。
【０１１７】
なお、実施形態１において、第１の撮像制御に係る画像信号の読み出しをインターレース読み出し（間引き読み出し）としたために、第２の撮像制御に係る画像信号の読み出しではそれ以上の高精細の読み出しにすることができなかった。しかし、応用として、第１の撮像制御に係る画像信号の読み出しをインターレース読み出しではなくして、例えば切出位置予測を第１の読み出しにも反映して拡大表示用の切出位置を含んだ間引きのない広いエリアをまず読み出すことにすれば、第２の撮像制御に係る画像信号の読み出しも間引きのない最も高精細な画像として読み出すことが可能になる。
【０１１８】
また、実施形態１で説明したような動作は、静止画像の読み出しを行いながらシームレス拡大表示が可能であるという利点を有する。一方、実施形態２で説明したような動作は、被写体をより確実に捉えることができるという利点を有する。そこで、一の電子撮像装置においてマニュアルフォーカスモードが設定されているときには、静止画像を読み出している場合は実施形態１の動作を行い、静止画像を読み出していない場合（例えば、単一画像を撮影する前、あるいは単一画像の撮影が終了した後など）には実施形態２の動作を行うといったような、場合による動作の使い分けをしても良い。
【０１１９】
あるいは、電子撮像装置が例えばデジタルカメラ等である場合には、単一画像撮影モードと連写撮影モードとの両方に設定可能なものが多い。そこで、複数枚（あるいは多数枚）の静止画像を読み出すことになる場合が多いと推定される連写撮影モードが設定されているときには実施形態１に説明したような動作を行う電子撮像装置として機能し、単一画像撮影モードが設定されているときには実施形態２に説明したような動作を行う電子撮像装置として機能するようにしても良い。
【０１２０】
また、説明を簡単にするために、実施形態１は、ピントが合った状態で撮影を開始し、連写中に動体に合わせてマニュアルフォーカスでピントを微調整することが可能なシーケンスに相当するものとし、実施形態２は、撮影前に動体に合わせてマニュアルフォーカスでピントを微調整することが可能なシーケンスに相当するものとしていた。従って、上述した実施形態１では、拡大表示が行われるのは連写が開始された後であるために、連写開始前には拡大表示を見ながらのマニュアルフォーカスを行うことができなかった。
【０１２１】
しかし、実施形態１における連写撮影の１コマ目を撮影する前の処理として、実施形態２に示したような処理を採用すれば、連写開始前にも拡大表示を見ながらマニュアルフォーカスを行うことが可能となる。このように、現実の製品に適用する場合には、実施形態１で説明した処理と実施形態２で説明した処理とを、適宜組み合わせるようにすると良い。
【０１２２】
さらに、本発明は上述した実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素から幾つかの構成要素を削除しても良い。さらに、異なる実施形態にわたる構成要素を適宜組み合わせても良い。このように、発明の主旨を逸脱しない範囲内において種々の変形や応用が可能であることは勿論である。
【符号の説明】
【０１２３】
１…レンズ
２…撮像部
２ａ…撮像素子
３…画像処理部
３ａ…特徴抽出部（特徴量抽出部）
４…ＡＦ評価値演算部
５…表示部
６…メモリカード
７…手振検出部
８…手振補正部
９…露光制御部（撮像制御部）
１０…フォーカス制御部
１１…カメラ操作部（操作部）
１２…カメラ制御部（パラメータ決定部）
【図１】
0005677869.tif 000002
【図２】
0005677869.tif 000003
【図３】
0005677869.tif 000004
【図４】
0005677869.tif 000005
【図５】
0005677869.tif 000006
【図６】
0005677869.tif 000007
【図７】
0005677869.tif 000008
【図８】
0005677869.tif 000009
【図９】
0005677869.tif 000010
【図１０】
0005677869.tif 000011
【図１１】
0005677869.tif 000012
【図１２】
0005677869.tif 000013
【図１３】
0005677869.tif 000014
【図１４】
0005677869.tif 000015
【図１５】
0005677869.tif 000016
【図１６】
0005677869.tif 000017
【図１７】
0005677869.tif 000018
【図１８】
0005677869.tif 000019